【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
生成される紫外光の特性を標的の必要性に応じて調節し、該紫外光を光源から第１の端部および第２の端部を含む可撓性光ファイバ要素を介して前記光の標的に伝送し、光ファイバによって実現される前記標的の撮影および／または照明などの他の機能を前記光ファイバ要素を介して提供する１または複数の紫外線LEDによって生成される微生物を破壊する紫外光を制御装置内の光源から紫外光の標的に伝送する方法であって、紫外線LEDのそれぞれは交換可能なLED装置に取り付けられ、前記紫外線LEDのそれぞれによって生成される微生物を破壊する紫外光は、取付中のLED装置を異なる値の紫外線LEDを有する別のLED装置と交換することによって概略的に調節され、前記紫外線LEDのそれぞれによって生成される微生物を破壊する紫外光は、前記制御装置から中間部品を介して、前記可撓性光ファイバ要素の第１の端部に伝送され、該光ファイバ要素を通過して伝送される前記微生物を破壊する紫外光は、中間部品を介して前記光ファイバ要素の第２の端部に伝送されることを特徴とする方法。
【請求項２】
請求項１に記載の方法において、微生物を破壊する紫外光は前記携行型の制御装置で生成され、可撓性光ファイバ要素の第１の端部は前記制御装置の光源の前方に取り付けられ、該光源の前記紫外線LEDのそれぞれが生成する紫外光を受光し、前記可撓性光ファイバ要素の第２の端部は、それぞれの紫外線LEDによって生成され前記可撓性光ファイバ要素を介して伝送される前記紫外光を微生物破壊の治療を行う箇所に伝搬して、治療する箇所中または上の微生物を破壊するように取り付けられることを特徴とする方法。
【請求項３】
請求項１または２に記載の方法において、前記標的では、前記可撓性光ファイバ要素を通過して伝送される前記微生物を破壊する紫外光は、処置具を介して前記標的に伝送されることを特徴とする方法。
【請求項４】
請求項１ないし３のいずれかに記載の方法において、前記制御装置を使用して、前記標的に伝送する前記微生物を破壊する紫外光を前記標的に伝送する前および／または該紫外光の伝送中に、該微生物を破壊する紫外光の強度および／または波長および／または周波数および／またはパルス特性および／または作用の持続時間を調節することを特徴とする方法。
【請求項５】
請求項４に記載の方法において、それぞれの紫外線LEDの電圧および／または該紫外線LEDに流れる電流を調節することで、前記標的に伝送される前記微生物を破壊する紫外光の前記強度および／または波長および／または周波数を調節することを特徴とする方法。
【請求項６】
請求項１ないし５のいずれかに記載の方法において、前記標的に伝送される前記微生物を破壊する紫外光は１または複数の石英ガラス結晶LEDを用いて生成され、このようにして生成された紫外光は、前記制御装置から前記光ファイバ要素内に配設された１または複数の石英ガラスファイバを介して、前記標的に伝送されることを特徴とする方法。
【請求項７】
請求項１ないし６のいずれかに記載の方法において、前記制御装置にカメラが接続して、前記微生物破壊の標的を撮影し、および／または、前記光ファイバ要素の第２の端部を前記微生物破壊の標的に案内することを特徴とする方法。
【請求項８】
請求項７に記載の方法において、前記制御装置に光源を接続して、前記カメラに適するよう前記微生物破壊の標的を照明することを特徴とする方法。
【請求項９】
請求項８に記載の方法において、カメラおよび光源は、それら自身の光ファイバによって、主に微生物を破壊する紫外光を伝送する用に供する前記光ファイバ要素に接続され、該光ファイバ要素を介して前記微生物破壊の標的の実時間映像および／もしくは静止画像を撮影し、ならびに／または、前記光ファイバ要素の第２の端部を前記微生物破壊の標的に案内することを特徴とする方法。
【請求項１０】
微生物を破壊する紫外光を生成し該生成された紫外光の特性を標的の必要性に応じて調節する制御装置を有し、該制御装置には、第１の端部および第２の端部ならびに微生物を破壊する光を伝送する１または複数の光ファイバを含む可撓性光ファイバ要素が接続され、前記紫外光を装置で生成して光源から前記微生物を破壊する紫外光の標的まで伝送する１または複数の紫外線LEDを用いて生成される微生物を破壊する紫外光を光源から紫外光の標的に伝送し、前記光ファイバ要素はさらに、前記微生物を破壊する紫外光を伝送する前記光ファイバに加えて、他の機能の用途に供する光ファイバを含む１または複数の紫外線LEDを用いて生成される微生物を破壊する紫外光を光源から紫外光の標的に伝送する装置であって、該装置は、前記紫外線LEDに取り付けられる交換可能なLED装置を有し、前記紫外線LEDのそれぞれによって生成される微生物を破壊する紫外光は、取付中のLED装置を異なる値の紫外線LEDを有する別のLED装置と交換することによって概略的に調節されるように構成され、該装置はさらに、前記紫外線LEDのそれぞれによって生成される微生物を破壊する紫外光を前記制御装置から前記可撓性光ファイバ要素の第１の端部に伝送する第１の中間部品と、前記光ファイバ要素を通過して伝送される前記微生物を破壊する紫外光を前記光ファイバ要素の第２の端部に設けられた処置具に伝送する第２の中間部品とを含むことを特徴とする装置。
【請求項１１】
請求項10に記載の装置において、前記制御装置は、前記微生物を破壊する紫外光を携行型の制御装置で生成するように構成され、前記可撓性光ファイバ要素の第１の端部は、前記制御装置の光源の前方に取り付けられ、該光源の紫外線LEDのそれぞれによって生成される微生物を破壊する紫外光を受光し、前記可撓性光ファイバ要素の第２の端部は、それぞれの紫外線LEDにより生成され前記可撓性光ファイバ要素を通過して伝送される前記微生物を破壊する紫外光を、微生物破壊の治療を行う箇所に伝搬するように構成されていることを特徴とする装置。
【請求項１２】
請求項10または11に記載の装置において、前記標的では、前記可撓性光ファイバ要素を通過して伝送される前記微生物を破壊する紫外光が前記処置具を介して前記標的に伝送されるように構成されていることを特徴とする装置。
【請求項１３】
請求項10ないし12のいずれかに記載の装置において、前記制御装置は、前記標的に伝送される前記微生物を破壊する紫外光を前記標的に伝送する前および／または前記紫外光の伝送中に、該紫外光の強度および／または波長および／または周波数および／またはパルス特性および／または作用の持続時間を調節する調節手段であることを特徴とする装置。
【請求項１４】
請求項10ないし13のいずれかに記載の装置において、該装置は、標的に伝送される微生物を破壊する紫外光を生成する１または複数の石英ガラスファイバ結晶LEDと、前記可撓性光ファイバ要素内に配設され該装置で生成された前記紫外光を前記制御装置から前記標的に伝送する１または複数の石英ガラスファイバとを含むことを特徴とする装置。
【請求項１５】
請求項10ないし14のいずれかに記載の装置において、前記制御装置には、前記微生物破壊の標的を撮影し、および／または前記光ファイバ要素の第２の端部を前記微生物破壊の標的に案内するカメラが接続されていることを特徴とする装置。
【請求項１６】
請求項15に記載の装置において、前記制御装置には、前記カメラに適するよう前記微生物破壊の標的を照明する光源が接続されることを特徴とする装置。
【請求項１７】
請求項16に記載の装置において、カメラおよび光源は、これら自身の光ファイバによって、主に微生物を破壊する紫外光の伝送の用に供する前記光ファイバ要素に接続され、該光ファイバ要素を介して前記微生物破壊の標的の実時間映像および／もしくは静止画像を撮影し、ならびに／または、前記光ファイバ要素の第２の端部を前記微生物破壊の標的に案内することを特徴とする装置。
【請求項１８】
請求項17に記載の装置において、前記光ファイバ要素には、微生物の破壊に使用する前記紫外光を伝送する用に供する１または複数の光ファイバに加えて、前記カメラに対する少なくとも１本の光ファイバおよび前記光源に対する少なくとも１本の光ファイバが設けられることを特徴とする装置。
【請求項１９】
請求項18に記載の装置において、前記光源に対する前記光ファイバおよび前記カメラに対する前記光ファイバは、微生物を破壊する紫外光を伝送する前記光ファイバと同一の前記光ファイバ要素の被覆式保護カバー内に配設されることを特徴とする装置。
【手続補正２】
【補正対象書類名】明細書
【補正対象項目名】００１８
【補正方法】変更
【補正の内容】
【００１８】
図1aは表示パネル３の簡略上面図を示し、表示パネル３は、好ましくは本発明に係る制御装置２の例えば接触感知式ディスプレイである。好ましくは、表示パネル３は、紫外線LEDを調節する上述の調節スイッチ3a、3b、3cを有する。紫外線放射のパルス特性は、押圧式調節スイッチ3aを用いて調節する。第１の押圧式調節スイッチ3aは、途切れることなく強度を一定に保つ紫外線放射をオン状態にする用に供し、第２の押圧式調節スイッチ3aは、断続的、すなわちパルス状であるが、強度を一定に保つ紫外線放射をオン状態にする用に供し、第３の押圧式調節スイッチ3aは、強度が周期的に増減する紫外線放射をオン状態にする用に供する。第３の調節スイッチ3aは、紫外線放射の強度に影響を与えるものであり、調節スイッチ3bを使用して調節される強度の基準値の両幅側の既定量に応じて、強度が周期的に変化して低くなったり高くなったりする。調節値の変動幅は、好ましくは例えば基準値の約±５％である。
【手続補正３】
【補正対象書類名】明細書
【補正対象項目名】００３８
【補正方法】変更
【補正の内容】
【００３８】
図11は、本発明に係る方法で使用する本発明に係る装置１の別の制御装置２を、上側方から見た簡略斜投影図を示す。本方式では、制御装置２は箱型ではなく、実質的にピストル型である。制御装置２は、ハンドル1aおよびポインタ部1bを有し、ポインタ部1bの自由端には、光ファイバ要素５の第１の端部5aを制御装置２に締結する出力コネクタ４が設けられている。出力コネクタ４については、図14および図15により詳しく図示する。また、図11による制御装置２は、その機能部および作業用スイッチ3a〜3fさらに電源スイッチも含む点が図１および図1aに係る制御装置２のパネルと実質的に同様な表示パネル３を有し、加えて、図１および図1aに係る制御装置２と実質的に同様に、制御電子回路および紫外線LED８を含む紫外線LED装置７も有する。
【手続補正４】
【補正対象書類名】明細書
【補正対象項目名】００４１
【補正方法】変更
【補正の内容】
【００４１】
図14は、本発明に係る制御装置２の出力コネクタ４の上面図を示す。出力コネクタ４には、微生物破壊殺菌ヘッドもしくは微生物破壊治療ヘッドを直接接続することができ、または紫外光をさらに遠くの標的に伝送する光ファイバ要素５の第１の端部5aを接続することができる。様々なアダプタを出力コネクタ４に接続することも可能であり、例えば、予備の光源21およびカメラ18など、様々な補助的および付加的装置を可撓性光ファイバ要素５に接続することができる。図15に、出力コネクタ４に接続されるある好適なアダプタ24を示す。アダプタ24は、フレーム部25および制御装置２の出力端部４にアダプタを固定する接続手段を有する。そのため、制御装置２によって伝送される紫外光は、実質的に変化することなく、アダプタ24を介して、実質的に制御装置２の出力端部４に相似形状のアダプタの出力端部４に伝わる。さらに、アダプタ24は、光源21の光ファイバ22をアダプタ24を介して光ファイバ要素５に接続する第１の付加コネクタ4b、およびカメラ18の光ファイバ19をアダプタ24を介して光ファイバ要素５に接続する第２の付加コネクタ4cを有する。また、アダプタ24は、別の付加コネクタを有していてもよい。カメラ18および光源21は、上述したアダプタ24の使用手法とは別の手法で光ファイバ要素５に接続させることも可能である。このような場合、例えば、付加コネクタ4bおよび4cは、例えば制御装置２に直接設けることも可能である。